(57)【特許請求の範囲】
【請求項１】
毛髪を挟持する一対の毛髪挟持面を有する挟持部を備えるヘアーアイロンであって、
前記挟持部の毛髪挟持面の反対側の外表面にカール部が形成されており、
前記一対の毛髪挟持面で毛髪を挟み込んだ状態において、前記毛髪挟持面の挟み込まれた毛髪の延在方向端部に毛髪挟持面側湾曲面が形成されるとともに、前記カール部の毛髪挟持面側端部にカール部側湾曲面が形成されており、
毛髪を前記一対の毛髪挟持面で挟み込むとともに前記カール部に押し当てた状態において前記毛髪挟持面側湾曲面およびカール部側湾曲面を移動させた際の毛髪の滑り荷重値が７００ｇ以下となる毛髪と前記毛髪挟持面側湾曲面およびカール部側湾曲面との接触面積以上となるように、前記毛髪挟持面側湾曲面の曲率半径および前記カール部側湾曲面の曲率半径を設定したことを特徴とするヘアーアイロン。
【請求項２】
前記挟持部が把持部に連設されており、前記挟持部のカール部の表面粗さが前記把持部の表面粗さよりも小さいことを特徴とする請求項１に記載のヘアーアイロン。
【請求項３】
前記挟持部は、少なくとも前記カール部が形成される部位が、一対の毛髪挟持面で毛髪を挟み込んだ状態において、挟み込まれた毛髪の延在方向と交差する方向の一端側から他端側にかけて縮径するテーパ状に形成されていることを特徴とする請求項１または請求項２に記載のヘアーアイロン。
【請求項４】
前記挟持部は、第１の毛髪挟持面を有する第１の挟持部と、前記第１の毛髪挟持面とで毛髪を挟持する第２の毛髪挟持面を有する第２の挟持部と、を備えており、
前記第１の毛髪挟持面および第２の毛髪挟持面のいずれかの前記毛髪の延在方向と交差する方向であって前記第１の毛髪挟持面および第２の毛髪挟持面よりも後方側に突部が設けられるとともに、前記第１の毛髪挟持面および第２の毛髪挟持面のいずれかの前記毛髪の延在方向と交差する方向であって前記第１の毛髪挟持面および第２の毛髪挟持面よりも前方側に突部が設けられていることを特徴とする請求項１〜３のうちいずれか１項に記載のヘアーアイロン。
【発明の詳細な説明】
【技術分野】
【０００１】
本発明は、ヘアーアイロンに関する。
【背景技術】
【０００２】
従来、ヘアーアイロンとして、基端を回動自在に連結して開閉自在に設けた一対のグリップと、各グリップの先端側に対向して設けられ、裏面側にカール部が設けられた平面状の発熱部（挟持部）と、を備えるものが知られている（例えば、特許文献１参照）。
【０００３】
この特許文献１では、対向する発熱部（挟持部）で毛髪を挟み込んでヘアーアイロンを回転させ、発熱部（挟持部）に挟み込まれていない毛髪をカール部に押し当てた状態で、当該ヘアーアイロンを毛髪に沿って引き下ろすことで毛髪に癖付けを施している。
【先行技術文献】
【特許文献】
【０００４】
【特許文献１】特開２００５−１９８９８４号公報
【発明の概要】
【発明が解決しようとする課題】
【０００５】
しかしながら、上記従来技術では、発熱部の両端面およびカール部の発熱部側端面の曲率半径が小さいため、毛髪にカール状の癖付けを施す際に、毛髪と発熱部の端面およびカール部の発熱部側端面との接触面積が小さくなってしまう。そのため、毛髪にカール状の癖付けを施す際の毛髪の滑り性が悪く、ヘアーアイロンの使い勝手が悪いという問題があった。
【０００６】
そこで、本発明は、毛髪の滑り性をより良好にすることのできるヘアーアイロンを得ることを目的とする。
【課題を解決するための手段】
【０００７】
本発明にあっては、毛髪を挟持する一対の毛髪挟持面を有する挟持部を備えるヘアーアイロンであって、前記挟持部の毛髪挟持面の反対側の外表面にカール部が形成されており、前記一対の毛髪挟持面で毛髪を挟み込んだ状態において、前記毛髪挟持面の挟み込まれた毛髪の延在方向端部に毛髪挟持面側湾曲面が形成されるとともに、前記カール部の毛髪挟持面側端部にカール部側湾曲面が形成されており、毛髪を前記一対の毛髪挟持面で挟み込むとともに前記カール部に押し当てた状態において前記毛髪挟持面側湾曲面およびカール部側湾曲面を移動させた際の毛髪の滑り荷重値が７００ｇ以下となる毛髪と前記毛髪挟持面側湾曲面およびカール部側湾曲面との接触面積以上となるように、前記毛髪挟持面側湾曲面の曲率半径および前記カール部側湾曲面の曲率半径を設定したことを特徴とする。
【発明の効果】
【０００８】
本発明によれば、毛髪を一対の毛髪挟持面で挟み込むとともにカール部に押し当てた状態において、毛髪と毛髪挟持面側湾曲面およびカール部側湾曲面との接触面積が所定値以上となるように、毛髪挟持面側湾曲面の曲率半径およびカール部側湾曲面の曲率半径を設定した。このように、毛髪にカール状の癖付けを施す際に、毛髪と毛髪挟持面側湾曲面およびカール部側湾曲面との接触面積を大きくすることで、整髪時の毛髪の滑り性を向上させることができる。すなわち、本発明によれば、毛髪の滑り性をより良好にすることのできるヘアーアイロンを得ることができるようになる。
【図面の簡単な説明】
【０００９】
【図１】図１は、本発明の一実施形態にかかるヘアーアイロンの斜視図である。
【図２】図２は、本発明の一実施形態にかかるヘアーアイロンの側面図である。
【図３】図３は、本発明の一実施形態にかかるヘアーアイロン装置の側面図である。
【図４】図４は、本発明の一実施形態にかかるヘアーアイロン装置の側断面図である。
【図５】図５は、本発明の一実施形態にかかるヘアーアイロンの横断面図である。
【図６】図６は、本発明の一実施形態にかかるヘアーアイロンとの比較例を示す横断面図である。
【図７】図７は、本発明の一実施形態にかかるヘアーアイロンの平面図である。
【図８】図８は、毛髪接触面積と滑り荷重値との関係を示す表形式の説明図である。
【図９】図９は、毛髪接触面積と滑り荷重値との関係を示すグラフ形式の説明図である。
【図１０】図１０は、挟持部のテーパ角度を変えた際の根元円周長さと先端円周長さとの関係を示す説明図である。
【図１１】図１１は、挟持部のテーパ角度と先端円周長さとの関係を示すグラフ形式の説明図である。
【発明を実施するための形態】
【００１０】
以下、本発明の実施形態について図面を参照しながら詳細に説明する。なお、以下では、第１の毛髪挟持面と第２の毛髪挟持面とを当接させるとともに第２の毛髪挟持面が上を向いた状態におけるヘアーアイロンを基準として上下方向を規定する。また、ヘアーアイロンの挟持部側を前方、把持部側を後方として説明する。
【００１１】
本実施形態にかかるヘアーアイロン装置１００は、図１および図２に示すように、ヘアーアイロン１を備えている。そして、本実施形態では、ヘアーアイロン装置１００は、ヘアーアイロン１に着脱自在に装着されるキャップ１０を備えている（図３参照）。
【００１２】
本実施形態では、ヘアーアイロン１は、図１に示すように、回動連結部４を介して略Ｖ字状に拡開可能に連結された上側アーム部２および下側アーム部３を備えている。そして、上側アーム部２と下側アーム部３とを回動連結部４を介して相対回動させることで、上側アーム部２および下側アーム部３の先端同士を接離できるようにしている。すなわち、本実施形態では、上側アーム部２と下側アーム部３との相対回動に伴って、後述する上側毛髪挟持面２２ａと下側毛髪挟持面３２ａとが接離されるようにしている。
【００１３】
また、本実施形態では、図４に示すように、下側アーム部３の回動連結部４近傍に、上方に開口した筒部３ｃが設けられているとともに、上側アーム部２の回動連結部４近傍に、下方に開口して、筒部３ｃ内に挿入可能な筒部２ｃが設けられている。そして、この筒部２ｃと筒部３ｃとで形成された空間部には、コイルスプリング５が収容されており、このコイルスプリング５によって、上側アーム部２と下側アーム部３とを互いに拡開するように付勢している。また、筒部２ｃを筒部３ｃ内に挿入させることで、ヘアーアイロン１を閉じる際に、上側アーム部２と下側アーム部３とが幅方向にずれてしまうのを抑制している。なお、本実施形態では、図示せぬストッパによって、上側アーム部２と下側アーム部３の拡開方向への回動が規制されている。
【００１４】
また、上側アーム部２および下側アーム部３の回動連結部４側（ヘアーアイロン１の後側）には、上側把持部（把持部）２ａおよび下側把持部（把持部）３ａがそれぞれ設けられている。そして、先端側には、上側挟持部（第１の挟持部：挟持部）２ｂおよび下側挟持部（第２の挟持部：挟持部）３ｂがそれぞれ設けられている。
【００１５】
そして、上側挟持部２ｂおよび下側挟持部３ｂは、それぞれ、上側アーム部２および下側アーム部３を閉じるように回動させた際に当接可能な上側毛髪挟持面（第１の毛髪挟持面：一対の毛髪挟持面）２２ａおよび下側毛髪挟持面（第２の毛髪挟持面：一対の毛髪挟持面）３２ａを有している。
【００１６】
また、挟持部の外表面（本実施形態では、上側挟持部２ｂおよび下側挟持部３ｂのそれぞれの外表面）には、図１に示すように、毛髪Ｈをカールさせるためのカール部２ｄ，３ｄが設けられている。なお、本実施形態では、上側挟持部２ｂおよび下側挟持部３ｂの外表面とは、上側挟持部２ｂおよび下側挟持部３ｂの外面のうち、上側毛髪挟持面２２ａおよび下側毛髪挟持面３２ａとは反対側の面のことをいう。
【００１７】
さらに、本実施形態では、上側挟持部２ｂおよび下側挟持部３ｂには、図４に示すように、発熱部としてのヒータ２３およびヒータ３３が設けられている。
【００１８】
そして、上側アーム部２および下側アーム部３の先端側に形成された上側毛髪挟持面２２ａと下側毛髪挟持面３２ａとで毛髪Ｈを挟み込み、ヒータ２３およびヒータ３３で発生させた熱を上側毛髪挟持面２２ａおよび下側毛髪挟持面３２ａを介して毛髪Ｈに加えることで、毛髪Ｈにカール状やストレート状の癖付けを施している。
【００１９】
例えば、毛髪Ｈへのカール状の癖付けは、以下のようにして行われる。まず、加熱した上側挟持部２ｂおよび下側挟持部３ｂを互いに対向させ、上側挟持部２ｂと下側挟持部３ｂとの間に、上側挟持部２ｂおよび下側挟持部３ｂの幅方向に延在するように毛髪Ｈを配置した状態で、上側毛髪挟持面２２ａと下側毛髪挟持面３２ａとで毛髪Ｈを挟み込む。次に、毛髪Ｈを挟み込んだ状態でヘアーアイロン１を回転させて、上側毛髪挟持面２２ａと下側毛髪挟持面３２ａとで挟み込まれていない根元側の毛髪Ｈをカール部３ｄに押し当てる。そして、毛髪Ｈをカール部３ｄに押し当てた状態で、ヘアーアイロン１を、毛髪Ｈに沿って滑らせながら毛先に向けて引き下ろすことで、毛髪にカール状の癖付けが施される。なお、毛髪Ｈへのストレート状の癖付けは、上側毛髪挟持面２２ａと下側毛髪挟持面３２ａとで毛髪を挟み込んだヘアーアイロン１を回転させずに、毛髪Ｈに沿って滑らせながら毛先に向けて引き下ろすことで行われる。
【００２０】
このように、本実施形態にかかるヘアーアイロン１は、毛髪Ｈに熱による癖付けを施すことで整髪を行うものである。
【００２１】
また、本実施形態では、上側挟持部（第１の挟持部）２ｂおよび下側挟持部（第２の挟持部）３ｂの幅方向が、上側毛髪挟持面（第１の毛髪挟持面）２２ａおよび下側毛髪挟持面（第２の毛髪挟持面）３２ａとで毛髪Ｈを挟み込んだ状態において、上側毛髪挟持面（第１の毛髪挟持面）２２ａおよび下側毛髪挟持面（第２の毛髪挟持面）３２ａとで挟み込まれた毛髪Ｈの延在方向に相当している。また、上側挟持部（第１の挟持部）２ｂおよび下側挟持部（第２の挟持部）３ｂの長手方向が、毛髪Ｈの延在方向と交差する方向に相当している。
【００２２】
上述した上側アーム部２および下側アーム部３は、外壁をなすケース２０およびケース３０を備えており、これらケース２０およびケース３０は、複数の分割体を継ぎ合わせて構成されている。また、ケース２０およびケース３０の内部には空洞が形成されており、この空洞内に、例えば、制御装置５０等の各種電気部品が収容されている。
【００２３】
本実施形態では、上部ケース２０ａと下部ケース２０ｂとをネジ４２によりネジ止めすることで内部に空洞が形成されたケース２０を形成している（図４参照）。
【００２４】
また、下部ケース３０ｂと上部ケース３０ａとをネジ４２によりネジ止めすることで、内部に空洞が形成されたケース３０を形成している（図４参照）。
【００２５】
そして、ケース２０およびケース３０の幅方向両側部には、当該ケース２０およびケース３０の上下方向に延在する突条２０ｄおよび突条３０ｄが長手方向に並設されている。
【００２６】
この突条２０ｄおよび突条３０ｄは、ケース２０およびケース３０の上側挟持部２ｂおよび下側挟持部３ｂ側に設けられており、側面視で、上下の毛髪挟持面２２ａ、３２ａの前側短辺から後側短辺にかけて並設されている。なお、突条２０ｄおよび突条３０ｄは、ケース２０およびケース３０の外表面の全周（カール部２ｄ，３ｄ）にわたって設けるようにしてもよいし、突条を設けなくてもよい。
【００２７】
このように、ケース２０およびケース３０に、上下方向に延在する突条２０ｄおよび突条３０ｄを設けることで、ヘアーアイロン１の使用時に、ケース２０およびケース３０と使用者等の頭皮や肌との接触面積を少なくすることができる。また、上下方向に延在する突条２０ｄおよび突条３０ｄを長手方向に並設することで、ケース２０およびケース３０の表面積の増加により効率的に放熱を行うことができるようになる上、この突条２０ｄおよび突条３０ｄによって毛髪を整流させることができる。
【００２８】
なお、突条２０ｄおよび突条３０ｄは、長手方向の間隔が１ｍｍ以上、突出量（突条２０ｄおよび突条３０ｄの高さ）が２ｍｍ以下となるように形成するのが好適である。長手方向の間隔を狭くしたり突出量を高くしたりすると、毛髪Ｈの滑り性能が低下してしまうためである。本実施形態では、長手方向の間隔が２．５ｍｍ、突出量が０．５ｍｍとなるように、突条２０ｄおよび突条３０ｄを形成している。
【００２９】
また、本実施形態では、ケース（挟持部本体）２０に上側毛髪挟持面２２ａを有する毛髪挟持部材２１を支持させることで、上側挟持部（第１の挟持部）２ｂを形成している。また、ケース（挟持部本体）３０に、下側毛髪挟持面３２ａを有する毛髪挟持部材３１を支持させることで、下側挟持部（第２の挟持部）３ｂを形成している。
【００３０】
具体的には、毛髪挟持部材２１および毛髪挟持部材３１は、略板状のプレート部２２およびプレート部３２を備えており、このプレート部２２およびプレート部３２の表面に、略平坦状の上側毛髪挟持面２２ａおよび下側毛髪挟持面３２ａが形成されている。本実施形態では、上側毛髪挟持面２２ａおよび下側毛髪挟持面３２ａは、図１に示すように、平面視で、ケース２０の長手方向に細長い略長方形状に形成されている。
【００３１】
さらに、上側毛髪挟持面２２ａおよび下側毛髪挟持面３２ａの幅方向両端には、図１０に示すように、幅方向断面視で、斜め外側に向けて凸となる湾曲面（毛髪挟持面側湾曲面）２２ｄおよび湾曲面（毛髪挟持面側湾曲面）３２ｄがそれぞれ形成されている。すなわち、上側毛髪挟持面２２ａおよび下側毛髪挟持面３２ａは、幅方向中央部の平坦面２２ｂ，３２ｂと、当該平坦面２２ｂ，３２ｂの幅方向両端に形成される湾曲面２２ｄ，３２ｄとで構成されている。
【００３２】
そして、上部ケース２０ａの上側挟持部２ｂ側にはカール部２ｄが形成されており、このカール部２ｄの幅方向両端（下端：毛髪挟持面側端部）には、比較的曲率半径の大きな湾曲面（カール部側湾曲面）２ｅが形成されている。この湾曲面２ｅは、幅方向断面視で、下方かつ外側に向けて凸となるように湾曲している。さらに、本実施形態では、湾曲面２ｅが湾曲面２２ｄよりも外側かつ上側に位置するように形成されており、毛髪Ｈを上側毛髪挟持面２２ａと下側毛髪挟持面３２ａとの間に挟み込んでカール部２ｄに押し当てた際に、湾曲面２ｅおよび湾曲面２２ｄに接触する毛髪Ｈの接触面積が大きくなるようにしている。
【００３３】
また、下部ケース３０ｂの下側挟持部３ｂ側にはカール部３ｄが形成されており、このカール部３ｄの幅方向両端（上端：毛髪挟持面側端部）には、比較的曲率半径の大きな湾曲面（カール部側湾曲面）３ｅが形成されている。この湾曲面３ｅは、幅方向断面視で、上方かつ外側に向けて凸となるように湾曲している。さらに、本実施形態では、湾曲面３ｅが湾曲面３２ｄよりも外側かつ下側に位置するように形成されており、毛髪Ｈを上側毛髪挟持面２２ａと下側毛髪挟持面３２ａとの間に挟み込んでカール部３ｄに押し当てた際に、湾曲面３ｅおよび湾曲面３２ｄに接触する毛髪Ｈの接触面積が大きくなるようにしている。
【００３４】
このように、湾曲面２ｅおよび湾曲面２２ｄ、もしくは、湾曲面３ｅおよび湾曲面３２ｄに接触する毛髪Ｈの接触面積が大きくなるようにすることで、毛髪Ｈにカール状の癖付けを施す際に、毛髪にテンションがかかりすぎてしまうのを抑制できるようにしている。
【００３５】
そして、プレート部２２およびプレート部３２のケース２０およびケース３０の内側には、ヒータ２３およびヒータ３３を収容する収容部２４および収容部３４が形成されており、収容部２４および収容部３４に収容したヒータ２３およびヒータ３３が、それぞれプレート部２２およびプレート部３２の裏面に当接するようにしている。
【００３６】
このプレート部２２およびプレート部３２は、例えば、銅やアルミニウムなど導電性の高い材料で形成し、毛髪Ｈに熱を伝えやすくするのが好ましい。
【００３７】
また、本実施形態では、ヒータ２３およびヒータ３３としてＰＴＣヒータ（Positive Temperature Coefficient ヒータ）を用いており、これにより連続的な温度制御が可能となる。なお、ヒータ２３およびヒータ３３は、ＰＴＣヒータに限らず、ニクロム線ヒータやその他の加熱手段を用いるようにしてもよい。また、ヒータ（発熱部）は、上側挟持部（第１の挟持部）２ｂおよび下側挟持部（第２の挟持部）３ｂのいずれか一方のみに設けられるようにしてもよい。
【００３８】
また、ヘアーアイロン１の後端部１ａからは、図示せぬ電源コードが引き出されている。
【００３９】
そして、ケース３０には、操作スイッチ（スイッチ）６が前後方向にスライド可能に設けられており、この操作スイッチ６を操作することで、ヒータ２３およびヒータ３３に対する通電のオン・オフ状態を切り換えることができるようになっている。
【００４０】
操作スイッチ６は、図２に示すように、スライド部６ａを有しており、このスライド部６ａは、ケース３０に形成された凹部３０ｉに前後方向に摺動可能に設けられている。そして、スライド部６ａの外側中央部には突部６ｂが設けられており、この突部６ｂはケース３０の外表面よりも外方に突出している。操作スイッチ６を手動操作によってオン・オフさせる場合には、突部６ｂを指で押すようにして操作スイッチ６を前後移動させることになる。
【００４１】
そして、この操作スイッチ６の操作によってヒータ２３およびヒータ３３を通電させると当該ヒータ２３およびヒータ３３が発熱し、発熱したヒータ２３およびヒータ３３からプレート部２２およびプレート部３２に熱が伝達されることで、プレート部２２およびプレート部３２が加熱される。
【００４２】
また、本実施形態では、ヘアーアイロン１は、上側挟持部２ｂの下側挟持部３ｂ側への相対移動を規制する規制部材を備えている。
【００４３】
具体的には、ケース２０の上側把持部２ａ側下部に、下方に向けて突出するストッパ突起４０を設けるとともに、ケース３０の上部ケース３０ａにストッパ溝部４１を設け、ストッパ突起４０の先端をストッパ溝部４１の底面に当接させることで、上側アーム部２と下側アーム部３との閉じる方向への回動を規制している。
【００４４】
さらに、本実施形態では、毛髪挟持部材２１は、ケース（挟持部本体）２０に対して上下方向（第１の毛髪挟持面の法線方向）に相対的に往復移動可能に支持されている。
【００４５】
具体的には、毛髪挟持部材２１の４隅を、ケース２０内に配置された４個のフロートばね９にて支持することで、毛髪挟持部材２１をケース２０に対して上下移動できるようにしている。
【００４６】
このように、毛髪挟持部材２１をケース２０に上下動可能に支持することで、上側毛髪挟持面（第１の毛髪挟持面）２２ａと下側毛髪挟持面（第２の毛髪挟持面）３２ａとの間に挟み込まれた毛髪Ｈに過度の負荷がかかってしまうのを抑制し、毛髪Ｈへのダメージを抑制することができるようにしている。
【００４７】
なお、本実施形態では、毛髪挟持部材２１の４隅をフロートばね９で支えるようにしているが、このフロートばねの位置や配置個数は、適宜設定することが可能である。また、毛髪挟持部材２１の上下方向の移動可能範囲は、０〜３ｍｍ程度となるように設定するのが好ましい。移動量が３ｍｍ以上となると、挟み込んだ毛髪にかかる荷重や引き下ろす際に生じる摩擦力が増大してしまい、ヘアーアイロン装置１００を毛髪Ｈに沿ってスムーズに滑らすことが難しくなってしまうからである。
【００４８】
また、上側挟持部２ｂにおける上側毛髪挟持面２２ａの根元側（後方：長手方向一方側）と先端側（前方：長手方向他方側）とには、上側毛髪挟持面２２ａと下側毛髪挟持面３２ａとで挟持した毛髪Ｈが前後方向にばらけてしまうのを抑制する突起部（突部）２０ｃが設けられている。
【００４９】
本実施形態では、突起部２０ｃは、上側毛髪挟持面２２ａの前部と後部の幅方向両端にそれぞれ２つずつ設けられている。
【００５０】
なお、毛髪Ｈを整流するための突起部は、上側毛髪挟持面２２ａおよび下側毛髪挟持面３２ａのいずれかの前方に設けられるとともに、上側毛髪挟持面２２ａおよび下側毛髪挟持面３２ａのいずれかの後方に設けられていればよい。
【００５１】
さらに、本実施形態では、図３に示すように、ヘアーアイロン１を使い終えて仕舞う際に、挟持部にキャップ１０を被せるようになっている。
【００５２】
キャップ１０は、図３および図４に示すように、前端側が閉止部１１となっており、後端側が挿入口１２となっている。すなわち、キャップ１０は、一端（本実施形態では後端側）が開口した有底筒状に形成されている。そして、ヘアーアイロン１を閉じた状態、すなわち、上側毛髪挟持面２２ａと下側毛髪挟持面３２ａとを近接させた状態で、挟持部（上側挟持部２ｂおよび下側挟持部３ｂ）を前端側からキャップ１０の挿入口１２に挿入するようにしている。本実施形態では、キャップ１０をヘアーアイロン１の挟持部に装着した際に、挟持部のほぼ全体がキャップ１０で覆われるようにしている。
【００５３】
さらに、本実施形態では、挟持部（上側挟持部２ｂおよび下側挟持部３ｂ）およびキャップ１０に、互いに係合する係合部が設けられている。
【００５４】
具体的には、上側挟持部２ｂおよび下側挟持部３ｂの外表面、すなわち、上部ケース２０ａおよび下部ケース３０ｂの外表面に周方向に沿って突設された挟持部側突部２０ｅ、３０ｅと、キャップ１０の内周に形成された凹部１６とで、互いに係合する係合部を構成している。そして、キャップ１０をヘアーアイロン１に装着した際に、凹部１６と挟持部側突部２０ｅ、３０ｅ（図５では、挟持部側突部３０ｅ）とが係合することで、キャップ１０がヘアーアイロン１から抜け落ちてしまうのを抑制している。
【００５５】
また、本実施形態では、ヘアーアイロン１は、上述したように、上側アーム部２と下側アーム部３とが互いに拡開する方向に付勢されているため、ヘアーアイロン１を閉じた状態で挟持部をキャップ１０に挿入すると、凹部１６と挟持部側突部２０ｅ、３０ｅ（図４では、挟持部側突部３０ｅ）には係合方向の付勢力が常時作用することとなり、両者の係合状態が維持されることになる。
【００５６】
なお、コイルスプリング５による拡開方向への付勢力は、上側アーム部２および下側アーム部３をキャップ１０の内周側に押し付ける力としても作用するため、上述した係合部（凹部１６と挟持部側突部２０ｅ、３０ｅ）を設けなくても、ヘアーアイロン１へのキャップ１０の装着状態を維持することが可能である。
【００５７】
また、図３および図４に示すように、上側把持部２ａの前方部分には複数個のダイヤ状のストーン７が配置されており、装飾効果が得られるようになっている。
【００５８】
さらに、上部ケース２０ａのダイヤ状のストーン７が配置される部分には、ダイヤ状のストーン７を挟むようにして複数の凸条２０ｇが突設されており、下部ケース３０ｂのダイヤ状のストーン７が配置される部分に対応した箇所には複数の凸条３０ｇが突設されている。これらダイヤ状のストーン７、凸条２０ｇおよび凸条３０ｇは、把持部の滑り止めとしての機能も有している。
【００５９】
また、キャップ１０の外表面にはダイヤモンドカット面（複数の面の集合体）１３が形成されており、使用者がキャップ１０を掴んだ際に凹凸感が得られるようにし、キャップ１０のヘアーアイロン１への着脱を容易に行うことができるようにしている。
【００６０】
また、図１および図４に示すように、上側挟持部２ｂおよび下側挟持部３ｂの前方側の外表面には、挟持部の周方向に沿って複数の突部２０ｈ，３０ｈが突設されている。この突部２０ｈ，３０ｈおよび上述した挟持部側突部２０ｅ、３０ｅは、ヘアーアイロン１の使用時に、カール部２ｄもしくはカール部３ｄに押し当てた毛髪Ｈが前後方向にばらけてしまうのを抑制する機能も有している。
【００６１】
ここで、本実施形態では、毛髪Ｈを上側毛髪挟持面２２ａおよび下側毛髪挟持面３２ａで挟み込むとともにカール部３ｄに押し当てた状態における毛髪Ｈと湾曲面（毛髪挟持面側湾曲面）３２ｄおよび湾曲面（カール部側湾曲面）３ｅとの接触面積が所定値以上となるように、湾曲面（毛髪挟持面側湾曲面）３２ｄの曲率半径および湾曲面（カール部側湾曲面）３ｅの曲率半径を設定している。
【００６２】
具体的には、まず、湾曲面（毛髪挟持面側湾曲面）３２ｄの曲率半径および湾曲面（カール部側湾曲面）３ｅの曲率半径を所定の値に設定する。そして、湾曲面３２ｄと湾曲面３ｅの幅Ｗ、すなわち、湾曲面３２ｄの平坦面３２ｂとの連設部から湾曲面３ｅの外側端（カール部３ｄの最外端）までの幅Ｗ（図５参照）を一定にした状態で、湾曲面３２ｄと湾曲面３ｅとを適宜移動させて、当該曲率半径における毛髪Ｈの接触面積の最大値を求める。そして、その時の滑り荷重値を実測する。
【００６３】
また、湾曲面３２ｄの曲率半径および湾曲面３ｅの曲率半径の組み合わせを別の組み合わせとなるように変更し、上述と同様のことを行う。
【００６４】
こうして、毛髪Ｈの接触面積と滑り荷重値との関係を求め、毛髪Ｈを上側毛髪挟持面２２ａおよび下側毛髪挟持面３２ａで挟み込むとともにカール部３ｄに押し当てた状態における毛髪Ｈと湾曲面（毛髪挟持面側湾曲面）３２ｄおよび湾曲面（カール部側湾曲面）３ｅとの接触面積が所定値以上となる、湾曲面（毛髪挟持面側湾曲面）３２ｄの曲率半径および湾曲面（カール部側湾曲面）３ｅの曲率半径を求めた。
【００６５】
図８は、毛髪挟持面側湾曲面の曲率半径を０．５ｍｍ〜１．５ｍｍの間で変化させるとともに、カール部側湾曲面の曲率半径を０．５ｍｍ〜１．５ｍｍの間で変化させ、それぞれの曲率半径において求められた毛髪Ｈの接触面積と滑り荷重値とを表形式で示すものである。
【００６６】
この図８をみると、毛髪挟持面側湾曲面の曲率半径およびカール部側湾曲面の曲率半径を大きくすれば、毛髪Ｈの接触面積が増大し、滑り荷重値が減少することが理解される。
【００６７】
なお、本実施形態では、湾曲面３２ｄと湾曲面３ｅの幅Ｗを一定にしているため、毛髪接触面積の実測値が（毛髪接触面積）／（幅）に相当している。
【００６８】
このように、湾曲面３２ｄと湾曲面３ｅの幅Ｗを一定にすることで、毛髪挟持面の平坦面の長さが短くなってストレートの癖付け効果が低下してしまったり、ヘアーアイロンの幅が増大して大型化してしまったりするのを抑制している。
【００６９】
すなわち、本実施形態では、ヘアーアイロンの小型化を図りつつストレートの癖付け効果の低下を抑制することができ、なおかつ、カール状の癖付け効果を向上させることができる毛髪挟持面側湾曲面の曲率半径およびカール部側湾曲面の曲率半径を求めるようにしている。
【００７０】
また、図８の滑り荷重率とは、（滑り荷重の計測値）／（予め定められた理想的な滑り荷重値）で求められる値である。
【００７１】
なお、ヘアーアイロンとして使用する際の、滑り荷重の官能良好荷重値は一般的に約３００ｇ〜７００ｇであり、図８では、理想的な滑り荷重値を３００ｇとして求めたそれぞれの滑り荷重率を載せている。
【００７２】
そして、図８に基づいて、毛髪Ｈの接触面積と滑り荷重値との関係を求めると、図９に示すグラフが得られる。
【００７３】
この図９のグラフより、接触面積をｘ、滑り荷重値をｙとすると、接触面積と滑り荷重値との関係は、ｙ＝１０１３．２×ｘ−０．３８５１で近似することができる。
【００７４】
そして、滑り荷重値が官能良好荷重値の上限である７００ｇ以下になるときの接触面積を求め、それ以上の接触面積となるように、毛髪挟持面側湾曲面の曲率半径およびカール部側湾曲面の曲率半径を設定すれば、毛髪の滑り性をより良好にすることができる。
【００７５】
さらに、滑り荷重の官能良好荷重値が約３００ｇ〜７００ｇ程度であることから、滑り荷重値の上限を５００ｇに設定し、それ以下の滑り荷重値となるように、毛髪挟持面側湾曲面の曲率半径およびカール部側湾曲面の曲率半径を設定するのが好ましい。
【００７６】
具体的には、図８より、毛髪挟持面側湾曲面の曲率半径を０．５ｍｍ以上、カール部側湾曲面の曲率半径を２．０ｍｍ以上とするのが好ましい。
【００７７】
本実施形態では、毛髪挟持面側湾曲面の曲率半径を１．５ｍｍ、カール部側湾曲面の曲率半径を４．０ｍｍとしている。
【００７８】
また、本実施形態では、挟持部２ｂ，３ｂのカール部２ｄ、３ｄの表面粗さが把持部２ａ，３ａの表面粗さよりも小さくなるようにしている。具体的には、カール部２ｄ、３ｄの表面粗さが０．７μｍ以下となるようにするとともに、把持部２ａ，３ａの表面粗さが１．６μｍ以上となるようにしている。このように、カール部２ｄ、３ｄの表面粗さを０．７μｍ以下とすることで、毛髪Ｈの滑り性をより向上させることができる。また、把持部２ａ，３ａの表面粗さを１．６μｍ以上とすることで、把持部を掴む手が滑ってしまうのを抑制することができる。
【００７９】
また、本実施形態では、挟持部２ｂ，３ｂ（少なくともカール部２ｄ，３ｄが形成される部位）を、上側毛髪挟持面２２ａおよび下側毛髪挟持面３２ａの長手方向（上側毛髪挟持面２２ａおよび下側毛髪挟持面３２ａで毛髪Ｈを挟み込んだ状態において、挟み込まれた毛髪Ｈの延在方向と交差する方向）の根元側（一端側）から先端側（他端側）にかけて縮径するテーパ状に形成している。
【００８０】
このように、挟持部２ｂ，３ｂの少なくともカール部２ｄ，３ｄが形成される部位を長手方向に縮径するテーパ状に形成することで、毛髪Ｈにスパイラルカールを付けやすくしている。
【００８１】
このスパイラルカールを付けられるようにするには、先端円周長さと根元円周長さの関係が、（先端円周長さ）×２＞（根元側円周長さ）となるようにする必要がある。
【００８２】
そこで、本実施形態では、所定の毛髪毛束幅が５０ｍｍ、根元の直径が３０ｍｍ（根元円周長さ３０×πｍｍ）のときに、スパイラルカールを付けることのできるテーパ角度θ（図７参照）を求めた。
【００８３】
テーパ角度θが大きくなると、先端円周長さが短くなり、根元円周長さに対する先端円周長さの比が小さくなる（図１０参照）。
【００８４】
また、テーパ角度θと先端円周長さの関係を図１１に示す。なお、図１１の横線ａは、根元円周長さを示しており、本実施形態では、３０×π（ｍｍ）である。
【００８５】
また、斜めの太線は、所定のテーパ角度のときの先端円周長さを示すグラフであり、このグラフよりテーパ角度が約１０°のときに、先端円周長さが根元円周長さの半分となることが解る。
【００８６】
そして、スパイラルカールを付けられる条件、すなわち、（先端円周長さ）×２＞（根元側円周長さ）を満たす領域は、図１１の斜線部分となる。
【００８７】
以上より、所定の毛髪毛束幅が５０ｍｍ、根元の直径が３０ｍｍの場合、テーパ角度θを０°より大きく１０°以下となるように設ければ、スパイラルカールを効果的に付けることができるようになる。本実施形態では、テーパ角度θが約１°となるようにしている。
【００８８】
以上説明したように、本実施形態では、毛髪Ｈを上側毛髪挟持面２２ａおよび下側毛髪挟持面３２ａ（一対の毛髪挟持面）で挟み込むとともにカール部３ｄに押し当てた状態において、毛髪Ｈと湾曲面（毛髪挟持面側湾曲面）３２ｄおよび湾曲面（カール部側湾曲面）３ｅとの接触面積が所定値以上となるように、湾曲面３２ｄの曲率半径および湾曲面３ｅの曲率半径を設定した。
【００８９】
具体的には、湾曲面３２ｄの曲率半径を０．５ｍｍ以上、湾曲面３ｅの曲率半径を２．０ｍｍ以上となるようにした。
【００９０】
ところで、図６に示すように、従来のヘアーアイロン１Ａでは、図５に比べて湾曲面３２ｄの曲率半径および湾曲面３ｅの曲率半径が小さい。そのため、毛髪Ｈと湾曲面（毛髪挟持面側湾曲面）３２ｄおよび湾曲面（カール部側湾曲面）３ｅとの接触面積を大きくすることができなかった。このようなヘアーアイロン１Ａを用いて、毛髪Ｈにカール状の癖付けを行うために、毛髪Ｈをカール部３ｄに押し当てた状態で、ヘアーアイロン１を、毛髪Ｈに沿って滑らせながら毛先に向けて引き下ろすと、湾曲面（毛髪挟持面側湾曲面）３２ｄおよび湾曲面（カール部側湾曲面）３ｅに強い線荷重ストレスがかかってしまい、毛髪Ｈに大きなストレスがかかってしまうという問題が発生する。また、従来のヘアーアイロン１Ａは、毛髪Ｈと湾曲面（毛髪挟持面側湾曲面）３２ｄおよび湾曲面（カール部側湾曲面）３ｅとの接触面積が小さいため、滑り荷重が大きくなってしまい、毛髪Ｈの滑り性があまりよくなかった。
【００９１】
これに対して、本実施形態では、毛髪Ｈにカール状の癖付けを施す際に、毛髪Ｈと湾曲面３２ｄおよび湾曲面３ｅとの接触面積を大きくしたため、滑り荷重を小さくすることができ、整髪時の毛髪Ｈの滑り性を向上させることができるようになる。
【００９２】
また、本実施形態によれば、比較的曲率半径の大きな湾曲面（毛髪挟持面側湾曲面）３２ｄと湾曲面（カール部側湾曲面）３ｅとを滑らかに結ぶことができる配置としているため、毛髪Ｈに局部的にかかる荷重を線荷重でなく面荷重とすることができる。その結果、毛髪Ｈにかかる局部的な荷重を低減することができる上、毛髪Ｈの滑り性を向上させることができ、毛髪Ｈにダメージを与えてしまうのを抑制することができる。また、毛髪Ｈに線荷重がかかることで発生しやすい段差状の折り目くせが毛髪Ｈについてしまうのを抑制することができるため、より容易に毛髪Ｈを所望形状に整髪することができるようになる。
【００９３】
このように、本実施形態によれば、毛髪Ｈの滑り性をより良好にすることのできるヘアーアイロン１を得ることができるようになる。
【００９４】
また、本実施形態では、挟持部２ｂ，３ｂのカール部２ｄ，３ｄの表面粗さを把持部２ａ，３ａの表面粗さよりも小さくした。そのため、毛髪滑り性をより一層向上させることができる上、把持部を掴む手が滑ってしまうのを抑制することができるようになる。
【００９５】
また、本実施形態では、挟持部２ｂ，３ｂを、少なくともカール部２ｄ、３ｄが形成される部位が、上側毛髪挟持面２２ａおよび下側毛髪挟持面３２ａ（一対の毛髪挟持面）で毛髪Ｈを挟み込んだ状態において、挟持部２ｂ，３ｂの長手方向（挟み込まれた毛髪Ｈの延在方向と交差する方向）の一端側（根元側）から他端側（先端側）にかけて縮径するテーパ状に形成した。そのため、毛髪Ｈにスパイラルカールをより容易に付けることができるようになる。
【００９６】
また、本実施形態では、上側毛髪挟持面（第１の毛髪挟持面）２２ａおよび下側毛髪挟持面（第２の毛髪挟持面）３２ａのいずれか（本実施形態では、上側毛髪挟持面２２ａ）の挟持部２ｂ，３ｂの長手方向（毛髪Ｈの延在方向と交差する方向）の一方側（後方）に突起部（突部）２０ｃを設けるとともに、上側毛髪挟持面（第１の毛髪挟持面）２２ａおよび下側毛髪挟持面（第２の毛髪挟持面）３２ａのいずれか（本実施形態では、上側毛髪挟持面２２ａ）の挟持部２ｂ，３ｂの長手方向（毛髪Ｈの延在方向と交差する方向）の他方側（前方）に突起部（突部）２０ｃを設けた。そのため、ヘアーアイロン１を毛髪Ｈに沿って引き下ろす際に、この突部２０ｃによって毛髪Ｈを整流させることができる。また、上側毛髪挟持面２２ａと下側毛髪挟持面３２ａとで挟み込んだ毛髪Ｈが毛髪挟持面２２ａ、３２ａの領域から外れてしまったり、毛髪Ｈがカール部３ｄに押し当てられなくなってしまったりするのを抑制することができる。このように、突起部（突部）２０ｃを設けることで、毛髪Ｈを突起部（突部）２０ｃの間に入り込ませて整流させることができ、毛髪Ｈをより均一にカールさせることが可能となる。
【００９７】
以上、本発明の好適な実施形態について説明したが、本発明は上記実施形態には限定されず、種々の変形が可能である。
【００９８】
例えば、ミスト生成部や金属微粒子生成部等のイオン生成部を設けたヘアーアイロン装置に本発明を適用することも可能である。
【００９９】
また、上記実施形態では、主に毛髪Ｈをカール部３ｄに押し当ててカール状の癖付けを施す場合を例示したが、毛髪Ｈをカール部２ｄに押し当ててカール状の癖付けを施すことも可能である。
【０１００】
また、毛髪挟持面や把持部、その他細部のスペック（形状、大きさ、レイアウト等）も適宜に変更可能である。
【符号の説明】
【０１０１】
１  ヘアーアイロン
２ａ  上側把持部（把持部）
２ｂ  上側挟持部（第１の挟持部：挟持部）
２ｄ  カール部
２ｅ  湾曲面（カール部側湾曲面）
３ａ  下側把持部（把持部）
３ｂ  下側挟持部（第２の挟持部：挟持部）
３ｄ  カール部
３ｅ  湾曲面（カール部側湾曲面）
２０ｃ  突起部（突部）
２２ａ  上側毛髪挟持面（第１の毛髪挟持面：一対の毛髪挟持面）
２２ｄ  湾曲面（毛髪挟持面側湾曲面）
３２ａ  下側毛髪挟持面（第２の毛髪挟持面：一対の毛髪挟持面）
３２ｄ  湾曲面（毛髪挟持面側湾曲面）
Ｈ  毛髪
【図１】
0005536612.tif 000002
【図２】
0005536612.tif 000003
【図３】
0005536612.tif 000004
【図４】
0005536612.tif 000005
【図５】
0005536612.tif 000006
【図６】
0005536612.tif 000007
【図７】
0005536612.tif 000008
【図８】
0005536612.tif 000009
【図９】
0005536612.tif 000010
【図１０】
0005536612.tif 000011
【図１１】
0005536612.tif 000012